(57)【要約】【課題】カセット内の駆動源およびセンサが動作にエラーが生じた際に、コネクタの点検および清掃を通報するための手段を提供する。【解決手段】モータ２２とリンク材２４、アップ検知センサ２５、ダウン検知センサ２６、カセット側コネクタ１１を有する紙幣補充用カセット１０と、カセット装填部５と、装置側コネクタ６を備え、カセット装填部５に紙幣補充用カセット１０が装填された直後のイニシャル動作で装置側コネクタ６、カセット側コネクタ１１を介して通電した際に、アップ検知センサ２５およびダウン検知センサ２６でリンク材２４を検知できなかった場合に清掃点検画面を表示する。【選択図】図１
2008198131.tif 000002
【特許請求の範囲】
【請求項１】
格納した媒体を繰出すための駆動源およびコネクタを有するカセットと、該カセットを装填するカセット装填部と、該カセット装填部に装填されたカセットのコネクタと電気的に接続するコネクタとを備えた媒体処理装置であって、
前記カセットは、駆動源によって動作する可動部材と、動作した該可動部材を検知する検知手段と、報知手段とを備え、
前記カセット装填部にカセットが装填された直後に行う初期動作で、前記コネクタを介して前記駆動源に通電した際、前記検知手段で前記可動部材を検知できなかった場合に、前記報知手段により係員に対して通報を行うことを特徴とする媒体処理装置。
【請求項２】
請求項１に記載の媒体処理装置において、
前記報知手段は、表示部やスピーカの少なくともどちらか一方とし、
係員に対して行う通報の内容は、前記コネクタの点検および清掃を促す内容としたことを特徴とする媒体処理装置。
【発明の詳細な説明】
【技術分野】
【０００１】
本発明は、補充用の紙幣等の媒体を格納したカセットが装填された媒体処理装置に関し、特にカセットと接続するコネクタに異物が付着していたことが原因でカセット内部に設けられたモータやセンサが動作しない場合に、コネクタの清掃や点検を促すようにするものである。
【背景技術】
【０００２】
従来の媒体処理装置としての硬貨処理装置は、補充用の硬貨を格納したカセットが装填されていないときには投受光センサの光をカセット検知部材が遮るようになっており、カセット装填部にカセットが装填された際にカセット接触部が押動してカセット検知部材が投受光センサの光を遮えぎらない位置に回動し、投受光センサの受光器が光を受光してカセットが装填されたことを検知している（例えば、特許文献１参照。）。
【特許文献１】特開平１０−７９０６８号公報（段落「００５１」−段落「００５２」、第２図）
【発明の開示】
【発明が解決しようとする課題】
【０００３】
しかしながら、上述した従来の技術においては、カセットが硬貨処理装置にきちんと装填されていることは検知できるが、以下に示す問題がある。一般にカセットが硬貨を繰出すためのモータを有している場合、カセットは硬貨処理装置側のコネクタと電気的に接続して電源が供給されているが、コネクタにごみ等の異物が付着したことで接触不良となってカセット内のモータが動作しなかった場合は、カセット自体は正常であってもカセットが不良であるものとしてカセットの交換を係員に通知していた。
【０００４】
そして、新たなカセットに換えて硬貨処理装置に装填しても、コネクタに異物が付着したままだと接触不良の状態は解消されないため、再びカセットの交換を通知してしまうという問題がある。
本発明は、上記の問題点を解決するための手段を提供することを目的とする。
【課題を解決するための手段】
【０００５】
本発明は、上記課題を解決するために、格納した媒体を繰出すための駆動源を備えたカセットと、該カセットを装填するカセット装填部と、該カセット装填部に装填されたカセットと電気的に接続するコネクタとを備えた媒体処理装置であって、前記カセットは、駆動源によって動作するリンクと、動作する該リンクを検知する検知手段とを備え、記カセット装填部にカセットが装填された直後に行うカセットの動作確認で、前記リンクを動作させるようにした際に、前記検知手段で前記リンクを検知できなかった場合に、前記コネクタの点検および清掃を促すように通知することを特徴とする。
【発明の効果】
【０００６】
これにより、本発明は、カセットの装填直後に当該カセットに動作不良が起きた場合に、コネクタの点検および清掃を促す画面を表示するので、コネクタに異物が付着したことによる接触不良が原因でカセットが正常に動作しなかった場合でも、カセット自体が不良であるとしてコネクタに付着した異物を取り除かないまま別のカセットを装填してしまうことを防止することができるという効果が得られる。
【発明を実施するための最良の形態】
【０００７】
以下に、図面を参照して本発明によるカセット装填検知装置の実施例について説明する。
【実施例１】
【０００８】
図１は実施例１の現金自動取引装置を示す概略説明図、図２は紙幣補充用カセットを装填した現金自動取引装置を示すブロック図である。
図１において、１はカセット装填装置としての現金自動取引装置である。
３はＬＣＤ等による表示部（報知手段）で、各種の処理操作の案内、現金処理のための入力画面や入力された情報、及び金種別の入出金金額や入出金の合計金額等を表示する。
【０００９】
４はキーボード等の操作部であり、各種の処理を指示するための入力キーや、現金処理を行う際の金額入力のためのテンキー等を備えている。
５はカセット装填部であり、現金自動取引装置１の筐体から引き出し可能に構成されており、紙幣補充用カセット１０と通信可能に接続する装置側コネクタ６を備えている。
紙幣補充用カセット１０は、現金自動取引装置１に補充する媒体としての紙幣を収納しており、上記の装置側コネクタ６を挿し込むためのカセット側コネクタ１１を備えて、カセット装填部５に装填する際に、装置側コネクタ６を挿し込むことによって現金自動取引装置１と電気的に接続する。
【００１０】
紙幣補充用カセット１０がカセット装填部５から取り外された場合、装置側コネクタ６は紙幣補充用カセット１０との接続が切れてその端子が露出する。
図２において、１５は主制御部であり、主記憶部１６に格納されている制御プログラムに従って現金自動取引装置１の各部を制御する他、装置側コネクタ６を介して紙幣補充用カセット１０に紙幣の繰出し等に伴う動作指示を行う。
【００１１】
主記憶部１６は、制御プログラムを格納する他、主制御部１５による処理結果を記憶する。
また、主記憶部１６は各部のイニシャル動作を行ったときに発生したエラーの発生箇所をエラー履歴情報として記憶するための記憶エリアを有する。
２０はカセット制御部であり、カセット記憶部２１に格納されている紙幣の繰出処理のための制御プログラムに従って、紙幣補充用カセット１０の各部を制御する他、前記カセット側コネクタ１１を介して現金自動取引装置１からの指示を受付ける。
【００１２】
カセット記憶部２１は、紙幣の繰出処理のための制御プログラムを格納する他、カセット制御部２０による処理結果等を記憶する。
また、カセット記憶部２１は、紙幣補充用カセット１０が現金自動取引装置１に装填された際に行われる紙幣補充用カセット１０の確認動作でエラーが発生したエラー回数を計数して記憶すると共に、そのエラー回数の閾値を格納している。
【００１３】
ここで、図３は実施例１の紙幣補充用カセットを示す概略説明図である。
図３において、２２はモータであり、紙幣補充用カセット１０内部の紙幣を繰出すための駆動源として用いられ、格納されている紙幣を図示しない繰出口から繰出すための紙幣繰出ローラに駆動を伝達している。
２３は駆動リンク部であり、モータ２２の回転軸に一端を固定する第１のリンク２３ａと、第１のリンク２３ａの他端と連結する一端を有して垂直方向に伸びる第２のリンク２３ｂと、一端を回転可能に固定して中央部に第２のリンク２３ｂの他端が連結するリンク材２４等によって構成される。
【００１４】
駆動リンク部２３は、モータ２２が駆動することによって第１のリンク２３ａが一端を支点にして回転し、そのときの他端の高さ位置に応じて、第２のリンク２３ｂが上下方向に移動するようになる。
第２のリンク２３ｂが上下方向に移動することによって、リンク材２４は中央部が持ち上げられる他、引き下げられるようになるので、回転可能に固定した一端を支点にして他端が上下方向に移動するようになる。
【００１５】
２５はアップ検知センサであり、光学式のセンサであって上方向に移動するリンク材２４が入り込む溝２５ａを有しており、その溝２５ａに光軸が通っていてリンク材２４が入り込み光軸を遮ることでそのリンク材２４を検知している。
２６はダウン検知センサであり、光学式のセンサであって下方向に移動するリンク材２４が入り込む溝２６ａを有しており、上記アップ検知センサ２５と同様にしてリンク材２４が入り込んで光軸を遮ることでリンク材２４を検知する。
【００１６】
２７は上記カセット制御部２０を構成する電子回路としてのカセット基板であり、カセット側コネクタ６と接続する他、モータ２２、アップ検知センサ２５、ダウン検知センサ２６と接続して、各部に対して動作の指示等を送る。
上述した構成における紙幣補充用カセット１０を装填する様子について説明する。
現金自動取引装置１に紙幣補充用カセット１０を装填する係員は、現金自動取引装置１の筐体からカセット装填部５を引き出して開放し、予め用意していた紙幣補充用カセット１０をカセット装填部５に装填する。
【００１７】
このとき、係員はカセット側コネクタ１１を現金自動取引装置１の装置側コネクタ６に差し込むようにして紙幣補充用カセット１０を装填し、装填が済んだ後に開放していたカセット装填部５を現金自動取引装置１内部に押し込んで閉じるようにする。
現金自動取引装置１の主制御部１５は、開放されていたカセット装填部５が閉じられた際に、装填された紙幣補充用カセット１０との接続が正常であるか等を確認する必要があるため、新たに紙幣補充用カセット１０が装填されたものと認識して、紙幣補充用カセット１０および現金自動取引装置１の各部のイニシャル動作を開始する。
【００１８】
ここで、図４は実施例１の紙幣補充用カセットにおけるイニシャル動作を示すフローチャートであり、Ｓで示すステップに従って紙幣補充用カセット１０のイニシャル動作について説明する。
Ｓ１、現金自動取引装置１の主制御部１５は、紙幣補充用カセット１０が装填されたことを認識すると、装置側コネクタ６、カセット側コネクタ１１を介して紙幣補充用カセット１０に通電して、さらに紙幣補充用カセット１０に対してイニシャル動作指示を送信する。
【００１９】
Ｓ２、紙幣補充用カセット１０のカセット制御部２０は現金自動取引装置１からイニシャル動作指示を受信すると、現金自動取引装置１から電源が供給されているものとしてモータ２２やアップ検知センサ２５、ダウン検知センサ２６に通電してこれらを動作させる。これによってモータ２２に接続している駆動伝達リンク部２３が駆動してリンク材２４が上下動するようになる。
【００２０】
Ｓ３、カセット制御部２０は、アップ検知センサ２５によってリンク材２４を検知できるか否かを判定し、検知した場合は次のステップＳ４に進み、通電しているモータ２２が駆動しない、またはアップ検知センサ２５がリンク材２４に反応しない等によって所定の時間経過しても検知できないエラーが生じた場合はステップＳ８に移行する。
Ｓ４、カセット制御部２０は、アップ検知センサ２５でリンク材２４を検知すると、次にダウン検知センサ２６によってリンク材２４を検知できるか否かを判定し、検知した場合は次のステップＳ５に進み、モータ２２が正常に駆動しない、またはダウン検知センサ２６がリンク材２４に反応しない等によって所定の時間経過しても検知できないエラーが生じた場合はステップＳ８に移行する。
【００２１】
Ｓ５、カセット制御部２０は、ダウン検知センサ２６でリンク材２４を検知したときに、モータ２２の動作を停止させて所定の時間（例えば、１秒間。）待機する。
Ｓ６、カセット制御部２０は、ダウン検知センサ２６でリンク材２４を検知し続けているか否かを判定し、リンク材２４を検知し続けている場合は次のステップＳ７に進み、モータ２２が惰性でわずかに動いてリンク材２４が動いてしまうことでダウン検知センサ２６が検知できない等のエラーが生じた場合はステップＳ９に移行する。
【００２２】
Ｓ７、カセット制御部２０は、モータ２２およびアップ検知センサ２５、ダウン検知センサ２６の動作が正常に行われたものとし、その旨を示す動作確認電文を現金自動取引装置１に送信する。
Ｓ８、現金自動取引装置１の主制御部１５は、動作確認電文を受信することで、イニシャル動作が正常に行われたことを認識してイニシャル動作処理を終了する。
【００２３】
Ｓ９、上記ステップＳ３でリンク材２４を検知できない、あるいは上記ステップＳ４でリンク材２４を検知できない、上記ステップＳ６でダウン検知センサ２６がリンク材２４を検知できない等のエラーが生じたときに、カセット制御部２０は、カセット記憶部２１に記憶しているエラー回数に１を加えて記憶する。
Ｓ１０、カセット制御部２０は、カセット記憶部２１に格納しているエラー回数の閾値と記憶したエラー回数とを読み出して比較し、エラー回数が閾値未満の場合はモータ２２を再び動作させて上記ステップＳ３に戻り再度確認動作を行い、エラー回数が閾値以上の場合は現金自動取引装置１にエラー発生通知を送信して次のステップＳ１１に進む。
【００２４】
Ｓ１１、現金自動取引装置１の主制御部１５は、エラー発生通知を受信すると、そのエラーが装填された紙幣補充用カセット１０のイニシャル動作で発生したエラーであることを認識し、エラー履歴情報として主記憶部１６に記憶する。
Ｓ１２、主制御部１５は、カセット装填部５を引き出して装填されている紙幣補充用カセット１０を取り外し、装置側コネクタ６およびカセット側コネクタ１１の清掃や点検を促す旨の清掃点検画面を表示部３に表示して係員に通報する。
【００２５】
係員は表示された清掃点検画面に従って、再度カセット装填部５を引き出して開放し、紙幣補充用カセット１０を取り外し、装置側コネクタ６およびカセット側コネクタ１１の清掃や点検を行って紙幣補充用カセット１０を装填し、カセット装填部５を現金自動取引装置１内部に押し込んで閉じる。
Ｓ１３、主制御部１５は、カセット装填部５が閉じられたことを認識することで、清掃や点検が済んだものとしてステップＳ１に戻って再び紙幣補充用カセット１０に対してイニシャル動作指示を開始する。
【００２６】
以上説明したように、本実施例においては、紙幣補充用カセットの装填直後のイニシャル動作において紙幣補充用カセット内のアップ検知センサおよびダウン検知センサがリンク材を検知できなかった場合に、その原因として装置側コネクタとカセット側コネクタとの接触不良が可能性としてあることから、両コネクタの清掃および点検を促す画面を表示するので、係員は装填したばかりの紙幣補充用カセットを別のものに代えてしまう他、現金自動取引装置のカセット補充部に関わる部品の交換等を行ってしまうことを防止することができる。
【００２７】
なお、上記実施例１においては、媒体として紙幣を格納した紙幣補充用カセットを装填する場合について説明したが、媒体としての硬貨を格納した硬貨補充用カセットを現金自動取引装置に装填する場合に適用しても上記と同内容の効果を得ることができる。
また、カセット装填検知装置としての現金自動取引装置に限らず、コピー機等のようにカセットを挿入する装置に適用してもよい。
【００２８】
さらに、アップ検知センサとダウン検知センサを光学式のセンサとしたが、これに限らず接触式のセンサ等であってもよい。
加えて、紙幣補充用カセット内でのエラーが発生した際に、表示部に清掃点検画面を表示して係員に通報するとして説明したが、音声ガイダンスによって装置側コネクタおよびカセット側コネクタの清掃および点検を通報してもよく、その場合には音声を出力するスピーカを設けるようにすればよい。
【００２９】
また、本実施例ではカセット制御部及びカセット記憶部を紙幣補充カセット内に配置したが、現金自動取引装置の主制御部から、装置側コネクタ及びカセット側コネクタを介して直接紙幣補充用カセットのモータ、アップ検知センサ、ダウン検知センサへの通信を行うようにしてもよい。
【図面の簡単な説明】
【００３０】
【図１】実施例１の現金自動取引装置を示す概略説明図
【図２】紙幣補充用カセットを装填した現金自動取引装置を示すブロック図
【図３】実施例１の紙幣補充カセットを示す概略説明図
【図４】実施例１のカセット装填後のイニシャル動作を示すフローチャート
【符号の説明】
【００３１】
１    現金自動取引装置
３    表示部
４    操作部
５    カセット装填部
６    装置側コネクタ
１０  紙幣補充用カセット
１１  カセット側コネクタ
１５  主制御部
１６  主記憶部
２０  カセット制御部
２１  カセット記憶部
２２  モータ
２３  駆動伝達リンク部
２４  リンク材
２５  アップ検知センサ
２６  ダウン検知センサ
２７  カセット基板
【図１】
2008198131.tif 000003
【図２】
2008198131.tif 000004
【図３】
2008198131.tif 000005
【図４】
2008198131.tif 000006